(57)【特許請求の範囲】
【請求項１】
共通する１つの基板に搭載された直接照明用および間接照明用の第１および第２の光源と、
前記基板に対向する正面視略矩形状の前面プレート部およびこの前面プレート部からその背後に向けて突出するように設けられて前記基板の周囲を囲む略矩形の角筒状の枠状壁部を有していることにより、前記基板を内部に収容する筐体構造とされ、かつ前記前面プレート部には、前記第１の光源からの光を前記前面プレート部の厚み方向に透過させる直接照明用の透光領域、および前記第２の光源からの光を遮る非透光領域が設けられているカバーと、
前記前面プレート部と前記基板との相互間領域のうち、前記第１の光源から前記透光領域に到る第１の領域と、前記第２の光源から前記非透光領域に到る第２の領域との間を仕切り、かつこれら第１および第２の領域の相互間における光の進入出を阻止可能な仕切り壁部と、
を備えており、
前記略矩形の角筒状の枠状壁部は、非透光部としての複数のコーナ部と、透光部材を用いて前記複数のコーナ部の相互間領域に設けられた間接照明用の複数の光通過部とを有する構成とされており、
前記第２の光源としては、前記複数の光通過部にそれぞれ対向して設けられた複数の第２の光源が設けられており、かつこれら複数の第２の光源から発せられた光は、前記複数のコーナ部によって遮られる一方、前記複数の光通過部を通過して互いに異なる複数の方向に進行可能な構成とされていることを特徴とする、照明装置。
【請求項２】
請求項１に記載の照明装置であって、
前記仕切り壁部は、略矩形の角筒状であり、前記仕切り壁部のうち、前記複数の第２の光源と対向する面は、平面状である、照明装置。
【請求項３】
請求項１または２に記載の照明装置であって、
前記カバーの前記透光領域は、前記前面プレート部の中央寄りに位置し、かつ前記非透光領域は、前記透光領域の周囲を囲むようにして前記前面プレート部の外周縁寄りに位置する構成とされている、照明装置。
【請求項４】
請求項１ないし３のいずれかに記載の照明装置であって、
前記非透光領域および前記仕切り壁部のうち、前記第２の領域に対向する面の少なくとも一部分は、前記第２の光源から進行してきた光を反射可能な非暗色系の光反射面とされている、照明装置。
【請求項５】
請求項１ないし４のいずれかに記載の照明装置であって、
前記基板を保持し、かつ所望の取付け対象部位に取り付けられるベース部材を、さらに備えており、
前記ベース部材には、前記カバーも保持させることが可能とされている、照明装置。
【発明の詳細な説明】
【技術分野】
【０００１】
本発明は、直接照明と間接照明とが可能なタイプの照明装置に関する。
【背景技術】
【０００２】
照明装置の一例として、特許文献１に記載されたものがある。
同文献に記載された照明装置においては、家屋の天井に取り付けられるベース部材の下面側に光反射板が取り付けられ、かつこの光反射板の下側に直接照明用の蛍光灯がランプソケットを介して支持されている。加えて、前記ベース部材の縁部には、上下に傾斜した傾斜部が形成されており、この傾斜部の上面部には、間接照明用のＬＥＤ光源が実装された基板が取り付けられている。前記ＬＥＤ光源から発せられた光は、天井面に照射される。
このような構成によれば、蛍光灯を点灯駆動させることにより直接照明が可能であり、ＬＥＤ光源を点灯駆動させることにより間接照明が可能である。したがって、直接照明用と間接照明用との２つの照明装置を個別に設置する必要を無くすことができる。
【０００３】
しかしながら、前記従来技術においては、次に述べるように、改善すべき余地がある。
【０００４】
すなわち、直接照明用の光源（蛍光灯）は、ランプソケットに支持されてベース部材や光反射板の下側に設けられているのに対し、間接照明用の光源（ＬＥＤ光源）は、基板に実装されてベース部材や光反射板の上側に設けられており、それら２種類の光源は、互いに異なる部品に支持されて大きく離間した位置に設けられている。このため、前記２種類の光源の取り付け構造は、複雑なものとなっている。これでは、照明装置全体の構造も複雑なものとなってしまい、照明装置の製造コストが高くなる不具合を生じる。
【先行技術文献】
【特許文献】
【０００５】
【特許文献１】特開２０１０−１９２２２８号公報
【発明の概要】
【発明が解決しようとする課題】
【０００６】
本発明は、前記したような事情のもとで考え出されたものであり、直接照明用および間接照明用の光源の取付け構造を簡素化し、もって全体の製造コストの低減化などを好適に図ることが可能な照明装置を提供することを、その課題としている。
【課題を解決するための手段】
【０００７】
上記の課題を解決するため、本発明では、次の技術的手段を講じている。
【０００８】
本発明により提供される照明装置は、共通する１つの基板に搭載された直接照明用および間接照明用の第１および第２の光源と、前記基板に対向する正面視略矩形状の前面プレート部およびこの前面プレート部からその背後に向けて突出するように設けられて前記基板の周囲を囲む略矩形の角筒状の枠状壁部を有していることにより、前記基板を内部に収容する筐体構造とされ、かつ前記前面プレート部には、前記第１の光源からの光を前記前面プレート部の厚み方向に透過させる直接照明用の透光領域、および前記第２の光源からの光を遮る非透光領域が設けられているカバーと、前記前面プレート部と前記基板との相互間領域のうち、前記第１の光源から前記透光領域に到る第１の領域と、前記第２の光源から前記非透光領域に到る第２の領域との間を仕切り、かつこれら第１および第２の領域の相互間における光の進入出を阻止可能な仕切り壁部と、を備えており、前記略矩形の角筒状の枠状壁部は、非透光部としての複数のコーナ部と、透光部材を用いて前記複数のコーナ部の相互間領域に設けられた間接照明用の複数の光通過部とを有する構成とされており、前記第２の光源としては、前記複数の光通過部にそれぞれ対向して設けられた複数の第２の光源が設けられており、かつこれら複数の第２の光源から発せられた光は、前記複数のコーナ部によって遮られる一方、前記複数の光通過部を通過して互いに異なる複数の方向に進行可能な構成とされていることを特徴としている。
【０００９】
このような構成によれば、次のような効果が得られる。
第１に、直接照明と間接照明とのいずれをも適切に実施可能である。具体的には、直接照明用の第１の光源を点灯駆動させた際には、この第１の光源から発せられた光は、カバーの前面プレート部の透光領域をその厚み方向に透過し、外部に出射する（透光領域が見かけ上の発光面となる）。第１の光源の光が第１の領域から第２の領域に進行することは、仕切り壁部により阻止されるため、前記光の一部が間接照明用の光通過部から外部に出射することは適切に防止される。このことにより、適切な直接照明が可能である。一方、間接照明用の第２の光源を点灯駆動させた際には、この第２の光源から発せられた光は、間接照明用の光通過部を通過し、第２の領域から前面プレート部の厚み方向とは交差する方向に進行して照明装置外部に出射する。この光は、照明装置が取り付けられた壁面などを照らす。第２の光源の光が第２の領域から第１の領域に進行することも仕切り壁部によって阻止されるため、前記光の一部が前面プレート部の透光領域に到達して外部に漏出するようなことも防止される。したがって、適切な間接照明も可能である。
第２に、直接照明用および間接照明用の第１および第２の光源は、共通する１つの基板に搭載されているため、直接照明用および間接照明用の２種類の光源を異なる部品を利用して別々に設けていた従来技術と比較すると、２種類の光源の取付け構造の簡素化を図り、照明装置全体の製造コストを廉価にすることが可能である。
第３に、第１および第２の光源については、カバーの前面プレート部に対して光を照射可能な状態に設ければよく、たとえば第２の光源の発光面が間接照明用の光通過部を向くような姿勢に設定する必要を無くすことが可能である。本発明によれば、第２の光源から前面プレート部の非透光領域に照射された光を、この非透光領域によって反射させることによって、この光の進行方向を積極的に変化させ、間接照明用の光通過部に導くことが可能である。前記特許文献１では、間接照明用の光源を斜めに傾かせた姿勢に設けているが、本発明によれば、そのような煩わしさを無くし、または少なくし、製造コストをより低減することが可能である。
第４に、カバーによって、基板およびこの基板に搭載された部品類（第１および第２の光源など）を保護することが可能であり、たとえば防水性や防塵性などをもたせることができる。照明装置を、たとえば浴室の壁面や天井面に設置した場合には、シャワー水などの湯水が照明装置に掛かる虞があるが、この湯水が基板に掛かることを適切に防止することが可能となる。
第５に、間接照明時においては、互いに異なる複数の方向に光を出射させることができるため、装飾性、デザイン性をよくすることが可能である。
【００１０】
本発明において、好ましくは、前記非透光領域および前記仕切り壁部のうち、前記第２の領域に対向する面の少なくとも一部分は、前記第２の光源から進行してきた光を反射可能な非暗色系の光反射面とされている。
【００１１】
このような構成によれば、第２の光源から発せられた光を、前面プレート部の非透光領域や仕切り壁部によって高い反射率、または比較的高い反射率で反射させることにより、光通過部に効率良く導き、多くの光を外部に出射させることが可能である。したがって、第２の光源の発光量をさほど多くする必要を無くし、省エネ仕様にすることができる。
【００１２】
本発明において、好ましくは、前記基板を保持し、かつ所望の取付け対象部位に取り付けられるベース部材を、さらに備えており、前記ベース部材には、前記カバーも保持させることが可能とされている。
【００１３】
このような構成によれば、照明装置の全体の部品点数を少なくして、組み立て性を良くするとともに、照明装置を所望の取付け対象部位に取り付ける作業も容易化される。
【００１４】
本発明において、好ましくは、前記仕切り壁部は、矩形の角筒状であり、前記仕切り壁部のうち、前記複数の第２の光源と対向する面は、平面状である。
また、好ましくは、前記カバーの前記透光領域は、前記前面プレート部の中央寄りに位置し、かつ前記非透光領域は、前記透光領域の周囲を囲むようにして前記前面プレート部の外周縁寄りに位置する構成とされている。
【００１８】
本発明のその他の特徴および利点は、添付図面を参照して以下に行なう発明の実施の形態の説明から、より明らかになるであろう。
【図面の簡単な説明】
【００１９】
【図１】本発明に係る照明装置の一例を示す外観斜視図である。
【図２】図１の分解斜視図である。
【図３】図１のIII−III断面図である。
【図４】図３の分解断面図である。
【図５】（ａ）は、図１に示す照明装置の正面図であり、（ｂ）は、図３のVb−Vb断面図である。
【図６】照明装置の例を示す正面断面図である。
【図７】本発明の他の例を示す正面断面図である。
【図８】（ａ），（ｂ）は、照明装置の他の例を示す概略正面図である。
【図９】（ａ）は、照明装置の他の例を示す概略正面図であり、（ｂ）は、その側面断面図である。
【発明を実施するための形態】
【００２０】
以下、本発明の好ましい実施の形態について、図面を参照して具体的に説明する。
【００２１】
図１および図２において、本実施形態の照明装置Ｌ１は、たとえば浴室の起立状の壁面９に取り付けられており、ベース部材１、このベース部材１に保持された基板２、この基板２に搭載された複数の第１および第２の光源３Ａ，３Ｂ、ならびにカバーＣを備えている。
【００２２】
ベース部材１は、照明装置Ｌ１の全体を壁面９に取り付け保持させるためのものであり、たとえば正面視略矩形の樹脂製プレートである。このベース部材１の前面部には、基板２がビスなどのネジ体８０を用いて取り付けられている。図３および図４に示すように、ベース部材１は、ネジ体８１を利用して壁面９に固定される。
【００２３】
基板２は、たとえば正面視略矩形のプリント配線基板である。第１および第２の光源３Ａ，３Ｂは、いずれもＬＥＤチップを基板２に実装して構成されたＬＥＤ光源である。第１の光源３Ａは、直接照明用であり、基板２の中央寄りに配されている。第２の光源３Ｂは、間接照明用であり、基板２の外周縁寄りに配されている。基板２の背面部には、第１および第２の光源３Ａ，３Ｂのそれぞれの点灯駆動を制御するための駆動回路部３９が実
装されている。ベース部材１は、駆動回路部３９との干渉を回避するための背面側凸部１０を有しており、この背面側凸部１０が壁面９に設けられた開口部９０に進入するように設定されている。駆動回路部３９への電力供給および信号入力は、図３および図４に示す配線コード３８を介して行なわれる。
【００２４】
カバーＣは、樹脂製であり、正面視略矩形状の前面プレート部４、この前面プレート部４からその背後に向けてそれぞれ突出する略矩形の角筒状の仕切り壁部５、および枠状壁部６を有している。このカバーＣは、たとえば図３に示すように、枠状壁部６の先端部をベース部材１の外周縁部分に外嵌させることにより、ベース部材１に着脱可能に取り付けられている。このことにより、基板２の周囲が枠状壁部６によって囲まれているとともに、基板２の前後が前面プレート部４およびベース部材１によって挟まれており、カバーＣおよびベース部材１は、これらの内側に基板２を気密性の高い状態で収容する筐体構造を構築している。このような構造は、照明装置Ｌ１の防水性や防塵性を高める上で好ましい。図示説明は省略するが、ベース部材１に対するカバーＣの取付け状態を安定させるための手段として、ベース部材１の外周縁部分と枠状壁部６との嵌合部分に、互いに係脱可能な凹凸状の係合部が設けられた構成とすることができる。カバーＣをベース部材１にビス止めするといった手段を採用することもできる。また、本実施形態とは異なり、カバーＣに枠状壁部６を設ける構成に代えて、枠状壁部６に相当する部位をベース部材１に設けることによって、基板２を収容する筐体構造を構築することも可能である。
【００２５】
カバーＣは、光（可視光）を透過させることが可能な透光部分と、そうではない非透光部分とを有しており、たとえば透光性を有しない樹脂製のカバー本体部Ｃ’に、透明または半透明の透光部材８ａ，８ｂを接合することにより構成されている。透明は、無色透明および有色透明のいずれであってもよい。なお、カバーＣについては、前記した構成に代えて、たとえばカバーＣの全体を、透光性を有する樹脂製に成形した上で、このカバーＣの所定箇所を非透光性の塗料の塗装面とし、あるいは非透光性の部材によって覆われた面にするといった手段を採用することにより、カバーＣに透光部分と非透光部分とを設けてもよい。
【００２６】
カバーＣの枠状壁部６は、既述したように、略矩形の角筒状であり、上壁部、下壁部、および左右両側壁部を有しているが、これら４つの壁部のそれぞれは、透光部材８ａを用いて構成されている。この透光部材８ａは、間接照明用の光通過部６０を構成しており、後述するように、第２の光源３Ｂから発せられた光を照明装置Ｌ１の外部に出射させるための部分である。
【００２７】
前面プレート部４は、透光領域４０と非透光領域４１とに区分されている。正面視において、透光領域４０は、たとえば矩形状であり、前面プレート部４の中央寄り部分に位置している。この透光領域４０には、複数の第１の光源３Ａが対向しており（図５も参照）、複数の第１の光源３Ａを点灯駆動させた際には、その光が透光領域４０をその厚み方向（図３および図４の左右方向）に透過して外部に出射し、直接照明がなされる。透光領域４０は、透光部材８ｂを用いて構成されている。
【００２８】
一方、非透光領域４１は、前面プレート部４のうち、透光領域４０以外の領域であり、透光領域４０の周囲を囲む中空矩形状であって、透光領域４０よりも前面プレート部４の外周縁寄りである。複数の第２の光源３Ｂは、第１の光源３Ａの搭載領域を囲むように分散した配置に設けられ、非透光領域４１の複数箇所に対向している。第２の光源３Ｂから発せられた光の多くは、非透光領域４１の裏面４１ａによって反射されることにより、間接照明用の光通過部６０に導かれ、照明装置Ｌ１の外部に出射する。この光の進行方向は、前面プレート部４の厚み方向とは交差する方向であり、壁面９のうち、照明装置Ｌ１の周辺領域が前記光によって照らされる。
【００２９】
非透光領域４１の裏面４１ａは、好ましくは、非暗色系の光反射面とされている。より好ましくは、裏面４１ａは、光反射率が高い白色または白色系の光反射面とされている。カバー本体部Ｃ’が、たとえば光反射率の低い暗色系の樹脂成形品とされている場合には、非透光領域４１の裏面４１ａに、たとえば白色系の塗装、または白色系のシートを貼着するなどして、この部分の光反射率を高めることが可能である。また、このような手段に代えて、光反射率の高い金属膜の形成、あるいは金属膜シートの貼着手段を採用してもよい。カバー本体部Ｃ’が、たとえば元々光反射率の高い白色系の樹脂製とされている場合には、裏面４１ａは樹脂成形されたままの面でよい。
【００３０】
カバーＣの仕切り壁部５は、前面プレート部４の中央寄りの位置からその背後に向けて突出した矩形の角筒状であり、その先端部は、基板２に当接または接近し、複数の第１の光源３Ａの搭載箇所付近を囲んでいる。仕切り壁部５は、非透光部分である。この仕切り壁部５によって、第１の光源３Ａから透光領域４０に到る第１の領域７ａと、第２の光源３Ｂから非透光領域４１に到る第２の領域７ｂとの間が仕切られており、第１および第２の領域７ａ，７ｂの相互間における光の進入出が阻止されている。好ましくは、仕切り壁部５のうち、第２の領域７ｂに対向する面（仕切り壁部５の外周面）は、非透光領域４１の裏面４１ａと同様に、非暗色系の光反射面とされ、さらに好ましくは、光反射率の高い白色系などの面とされている。このような構成によれば、第２の光源３Ｂから仕切り壁部５に向けて進行してきた光を高い反射率で反射させることにより、間接照明用の光通過部６０を通過する光の量を多くすることが可能である。なお、仕切り壁部５の内周面を光反射率の高い面とすれば、第１の光源３Ａから仕切り壁部５の内周面に進行してきた光を高い反射率で反射し、透光領域４０に効率良く導くことが可能である。
【００３１】
次に、前記した照明装置Ｌ１の作用について説明する。
【００３２】
まず、複数の第１および第２の光源３Ａ，３Ｂのうち、第１の光源３Ａのみを点灯駆動させた際には、この第１の光源３Ａからの光は、前面プレート部４の透光領域４０を透過し、その正面領域へ適当な拡がり角度をもって進行し、直接照明がなされる。この場合、透光領域４０が見かけ上の発光面となる。第１の光源３Ａの光が第１の領域７ａから第２の領域７ｂに進行することは、仕切り壁部５により阻止されるため、直接照明時において、間接照明用の光通過部６０から外部に光が出射することは適切に防止される。
【００３３】
次いで、第１の光源３Ａに代えて、第２の光源３Ｂのみを点灯駆動させた際には、この第２の光源３Ｂから発せられた光の多くは、非透光領域４１の裏面４１ａ、および仕切り壁部５の外周面によって反射されてから間接照明用の光通過部６０に到達し、この部分を通過して外部に出射する。この光の進行方向は、直接照明時の光の進行方向とは交差する方向であり、壁面９には前記光が適切に照らされ、間接照明がなされる。図３に示すように、第２の光源３Ｂからの光が裏面４１ａによって反射されると、この光は壁面９に接近する方向に進行するため、壁面９を明るく照らす上でより好都合となる。本実施形態においては、照明装置Ｌ１の上辺部から上向きに光が出射し、下辺部からは下向きに光が出射し、さらには左右両辺部からは左方および右方に光が出射することとなり、壁面９のうち、照明装置Ｌ１の四方に光を照射することが可能である。第２の光源３Ｂの光が第２の領域７ｂから第１の領域７ａに進行することは、仕切り壁部５により阻止されるため、間接照明時に光の一部が透光領域４０に到達してこの部分から光が漏れることはない。
【００３４】
非透光領域４１の裏面４１ａ、および仕切り壁部５の外周面が、既述したように、光反射率の高い面とされている場合には、前記した間接照明時において、第２の光源３Ｂから発せられた光の多くを光通過部６０に効率良く導き、多くの光を外部に出射させることが可能である。したがって、第２の光源３Ｂの発光量をさほど多くする必要を無くし、省エ
ネ仕様にすることができる。また、第２の光源３Ｂの個数を減らすなどして、製造コストの低減を図ることも可能である。
【００３５】
第１および第２の光源３Ａ，３Ｂは、共通する１つの基板２に搭載されている。このため、本実施形態とは異なり、たとえば直接照明用および間接照明用の２種類の光源を異なる部品を利用して別々に設ける場合と比較すると、照明装置Ｌ１の全体構造を簡素にし、その製造コストを廉価にすることができる。加えて、第１および第２の光源３Ａ，３Ｂは、それらの発光面がカバーＣの前面プレート部４に対向するように基板２に搭載されていればよく、たとえば第２の光源３Ｂの発光面を間接照明用の光通過部６０に向く姿勢に設定する必要はない。したがって、基板２にＬＥＤチップを実装して第１および第２の光源３Ａ，３Ｂを構成する際の製造作業を容易とし、製造コストをより廉価にすることが可能である。
【００３６】
その他、本実施形態においては、壁面９に取り付けられるベース部材１に、基板２およびカバーＣが取り付けられているため、全体の構造を簡素にしつつ、各部品の取り付けを安定したものとすることが可能である。また、既述したように、基板２がカバーＣとベース部材１との両者の内側に気密状態またはそれに近い状態に収容された構造が採用されているため、基板２およびその搭載部品の保護を適切に図ることもできる。
【００３７】
図６〜図９は、照明装置の例（図７は、本発明の他の実施形態に相当）を示している。これらの図において、前記実施形態と同一または類似の要素には、前記実施形態と同一の符号を付すこととし、重複説明は省略する。
【００３８】
図６に示す照明装置Ｌ２においては、カバーＣに、前記実施形態の透光部材８ａに相当する部材が設けられておらず、第２の領域７ｂの周囲に開口部６０ａが形成されている。この開口部６０ａは、本発明でいう「間接照明用の光通過部」の他の例に相当し、第２の光源３Ｂから発せられた光は、開口部６０ａを通過して外部に出射する。
本実施形態によれば、前記実施形態よりも構成を簡素にし、製造コストをより廉価にすることが可能である。
【００３９】
図７に示す照明装置Ｌ３においては、第２の光源３Ｂが、第１の領域７ａの上方には設けられておらず、第１の領域７ａの下方および左右両側方のみに設けられている。これに対応し、間接照明用の光通過部６０は、第２の領域７ｂの下側および左右両側部にのみ設けられており、第２の領域７ｂの上側部分には設けられていない。第２の領域７ｂの上側部分は、非透光性の壁部６１により閉塞されている。
本実施形態によれば、間接照明時においては、照明装置Ｌ３の下方および左右両側方への光の出射がなされ、上方への光の出射はなされない。本実施形態から理解されるように、本発明では、必ずしも第２の領域７ｂの略全周囲から光を出射させなくてもよい。
【００４０】
図８（ａ）に示す照明装置Ｌ４においては、カバーＣの前面プレート部４の全体形状、および透光領域４０の形状を円形状としている。同図（ｂ）に示す照明装置Ｌ５においては、前面プレート部４の全体形状、および透光領域４０の形状を、三角形状としている。これらの実施形態では、複数の第２の光源３Ｂを前面プレート部４の形状に対応する配置に設け、照明装置Ｌ４，Ｌ５の周囲に間接照明用の光の出射を適切に行なうことが可能とされている。
前面プレート部４と透光領域４０とは、異なる形状であってもよい（たとえば、前面プレート部４が矩形状、透光領域４０が円形など）。
【００４１】
図９に示す照明装置Ｌ６においては、カバーＣの前面プレート部４の下部寄り領域が透光領域４０とされ、かつ上部寄り領域が非透光領域４１とされている。これに対応し、基板２の下部寄り領域に第１の光源３Ａが搭載され、かつ上部寄り領域に第２の光源３Ｂが搭載されている。略水平方向に延びる非筒状の仕切り壁部５によって、第１および第２の領域７ａ，７ｂの相互間が仕切られている。第２の領域７ｂのたとえば上部および左右両側部分には、間接照明用の光通過部６０が設けられている。本実施形態においても、第１の光源３Ａを点灯駆動させた際には、やはり透光領域４０を発光面とする直接照明が可能であるとともに、第２の光源３Ｂを点灯駆動させた際には、光通過部６０から光を出射させる間接照明が可能である。
本実施形態から理解されるように、透光領域４０は、必ずしも前面プレート部４の中央寄りの位置に設けられている必要はない。また、非透光領域４１は、必ずしも透光領域４０の周囲を囲むように設けられている必要もない。
【００４２】
本発明は、上述した実施形態の内容に限定されない。本発明に係る照明装置の各部の具体的な構成は、本発明の意図する範囲内において種々に設計変更自在である。
【００４３】
上述した実施形態では、起立状の壁面に照明装置を取り付けた例を示したが、家屋の天井面に取り付けて、前面プレート部が下向きとなる姿勢で使用することも可能であり、照明装置の具体的な取り付け対象部位、および取り付けの向き等は、限定されない。屋外に設置して使用することも可能である。
【００４４】
第１および第２の光源は、ＬＥＤ光源以外の光源とすることも可能であり、またそれらの具体的な数や配置も限定されない。カバーの前面プレート部は、平板状に限定されず、たとえば表面部が丸みを帯びた曲面状の板状にすることもできる。
【符号の説明】
【００４５】
Ｌ１〜Ｌ６  照明装置
Ｃ  カバー
１  ベース部材
２  基板
３Ａ  第１の光源
３Ｂ  第２の光源
４  前面プレート部
４０  透光領域（前面プレート部の）
４１  非透光領域（前面プレート部の）
５  仕切り壁部
６  枠状壁部
６０  間接照明用の光通過部
６０ａ  開口部（間接照明用の光通過部）
７ａ  第１の領域
７ｂ  第２の領域
９  壁面（取付け対象部位）
【図１】
0006600989.tif 000002
【図２】
0006600989.tif 000003
【図３】
0006600989.tif 000004
【図４】
0006600989.tif 000005
【図５】
0006600989.tif 000006
【図６】
0006600989.tif 000007
【図７】
0006600989.tif 000008
【図８】
0006600989.tif 000009
【図９】
0006600989.tif 000010